(57)【要約】【課題】簡単な構造でありながら模様部分を立体的に視認できる表示部材を提供することを目的とする。【解決手段】本発明の表示部材１は、平滑面で構成され視認側となる表面１ａと、模様となる凹溝３が刻設された裏面１ｂとを具備し、透明または半透明の合成樹脂製の成形体１Ａで構成されている。そして、凹溝３は、平滑面に対する肉厚が変化するように形成されていることを特徴とする。【選択図】  図１
2018134764.tif 000002
【特許請求の範囲】
【請求項１】
平滑面で構成され視認側となる表面と、模様となる凹溝が刻設された裏面とを具備し、透明または半透明の合成樹脂製の成形体で構成された表示部材であって、
前記凹溝は、前記平滑面に対する肉厚が変化するように形成されていることを特徴とする表示部材。
【請求項２】
前記凹溝は、厚さ方向に対して傾斜する傾斜面を含むことを特徴とする請求項１に記載の表示部材。
【請求項３】
前記傾斜面は、異なる方向で２面以上設けられていることを特徴とする請求項２に記載の表示部材。
【請求項４】
前記成形体の厚みは１．０〜３．０ｍｍであることを特徴とする請求項１から３のいずれか１項に記載の表示部材。
【請求項５】
前記合成樹脂の成形体には、光源から光が照射されることを特徴とする請求項１から４のいずれか１項に記載の表示部材。
【請求項６】
請求項１から５のいずれかの表示部材が組み込まれていることを特徴とする釣り用品。
【発明の詳細な説明】
【技術分野】
【０００１】
本発明は、例えば銘板のように、文字、数字、記号、図形、色彩、及びこれらの組み合わせ等が表示される表示部材、及び、表示部を備えた釣り用品に関する。
【背景技術】
【０００２】
従来、各種商品の外面には、印刷以外に会社名や商品名、ロゴマーク等を付した銘板（表示部材）を取り付けることが行われている。例えば、特許文献１には、合成樹脂からなる透明または半透明の成型品の裏面に真空蒸着や塗装加工を施して、文字、数字、記号、図形、色彩、及びこれらの組み合わせ等（以下、これらを総称して模様とも称する）を表現した銘板が開示されており、このような銘板を、各種の商品に付着して識別性を持たせることが行われている。この公報に開示されている銘板は、成型品の裏面に主標となるパターンを凹陥し、凹陥部以外の箇所に地色とすべき色彩のインクを用いてシルクスクリーン印刷を施して乾燥後、裏面全体を真空蒸着し、最後に塗装（バックコート）を施して塗膜で裏面全体を覆っている。この銘板は、表面から見ると、主標と輪郭が凹陥部に施される蒸着物質により、金属色で奥行きを感じさせ浮き上がったように見える。
【先行技術文献】
【特許文献】
【０００３】
【特許文献１】特公昭５１−２３２２６号
【発明の概要】
【発明が解決しようとする課題】
【０００４】
上記した銘板の製造は、凹陥部を形成し、シルクスクリーン印刷（乾燥）、真空蒸着、塗装などの４工程からなり、地色と凹陥部との対比で主標を浮き上がらせる表現方法であるが、奥行き感を表現するための作業工程が多く、構造が煩雑で生産コストが高価になると共に、凹陥部を有する裏面上に３層膜を形成することから、ばらつき易い膜厚の影響で色調（奥行き感を含む）が安定しない。また、主標となる凹陥部は平坦面であるため、入射光した光の反射光は均一となり、色調差で奥行きを感じさせるようにして装飾性向上を図るだけでは陰影が乏しく、主標部自体の立体感に欠けてしまう。
【０００５】
さらに、上記したような作業工程が施される銘板は、薄肉化、小型化に限界があり、取着される製品の装着部位の制約も大きくなってしまう。特に、魚釣用リールのような釣り用品では、そのような模様を有する部位は薄肉厚化して表面に凹凸が生じない構成であることが好ましい。
【０００６】
本発明は、上記した問題に基づいて成されたものであり、簡単な構造でありながら模様部分を立体的に視認できる表示部材を提供することを目的とする。また、本発明は、そのような表示態様が得られ、表面に凹凸を生じさせることのない釣り用品を提供することを目的とする。
【課題を解決するための手段】
【０００７】
上記した課題を解決するために、本発明に係る表示部材は、平滑面で構成され視認側となる表面と、模様となる凹溝が刻設された裏面とを具備し、透明または半透明の合成樹脂製の成形体で構成されており、前記凹溝は、前記平滑面に対する肉厚が変化するように形成されていることを特徴とする。
【０００８】
上記した構成の表示部材では、平滑面となった表面側から、裏面側に形成されている模様となる凹溝を視認して凹溝の形状を把握する。すなわち、表面側から入射した入射光の内、凹溝の底面から反射する反射光を視認することで、凹溝の形態（模様の形状）を把握することが可能となる。この場合、凹溝は、視認側となる平滑面に対して肉厚を変化させているため、肉厚の厚い部分は、表面から入射して屈折する光の吸収の度合いが大きくなって、その部分に対応する底面からの反射光は暗くなる。また、肉厚が薄い部分は、表面から入射して屈折する光の吸収の度合いが小さくなり、その部分に対応する底面からの反射光は明るくなる。したがって、模様を形成する凹溝の肉厚が変化することにより、その模様には明暗（濃淡）が生じるようになり、これによって、容易に立体感がある模様を視認させることが可能となる。また、視認側の表面部分及び肉厚変化部分で生じる光の反射やその光路差の変化、更にはそれらの部分で生じる光の屈折等の影響により、フロップ性（見る角度によって光輝感や色相が変化する性質）も得られるようになり、単に肉厚を変化させる簡易な構造でありながら立体感のある模様を視認させることが可能となる。
【０００９】
上記したような表示部材については、例えば、魚釣用リール、釣竿、クーラーボックス等、各種の釣り用品に組み込んだり、表示部材そのものを釣り用品の一構成部材とすることが可能である。表示部材の表面は平滑面であるため、釣糸が絡んだりゴミ等が付着することが防止され、裏面に形成されている凹溝による模様を立体的に視認することが可能となる。
【発明の効果】
【００１０】
本発明によれば、簡単な構造でありながら模様部分を立体的に視認できる表示部材を提供することができる。また、本発明によれば、そのような表示態様が得られ、表面に凹凸を生じさせることのない釣り用品を提供することができる。
【図面の簡単な説明】
【００１１】
【図１】本発明に係る表示部材の第１の実施形態を示す平面図、及び、Ａ−Ａ線に沿った断面図。
【図２】表示部材に形成した凹溝の作用を説明する図。
【図３】本発明に係る表示部材の第２の実施形態を示す平面図。
【図４】図３に示す表示部材の凹溝の形状を示す図。
【図５】本発明に係る表示部材の第３の実施形態を示す断面図。
【図６】凹溝を構成する肉厚変化部分の例を示す図であり、（ａ）は肉厚変化部を形成する位置を説明する図、（ｂ）は第１の例を示す図、（ｃ）は第２の例を示す図。
【図７】本発明に係る表示部を備えた釣り用品の例（スピニングリール）を示す図であり、（ａ）は側面図、（ｂ）は脚部の拡大斜視図。
【図８】本発明に係る表示部を備えた釣り用品の例（両軸受型リール）を示す図であり、（ａ）は側面図、（ｂ）は正面図。
【図９】本発明に係る表示部を備えた釣り用品の例（電動リール）を示す平面図。
【図１０】本発明に係る表示部を備えた釣り用品の例（釣竿）を示す図であり、（ａ）はグリップ部分の側面図、（ｂ）はグリップ部分の平面図。
【発明を実施するための形態】
【００１２】
図１は、本発明に係る表示部材の第１の実施形態を示す平面図、及び、Ａ−Ａ線に沿った断面図である。
図に示す表示部材１は、それ単体で銘板（ネームプレート）として用いられたり、或いは、後述するような各種の釣り用品に装着することが可能となっている。表示部材１は、透明または半透明の合成樹脂製の成形体１Ａで構成されており、成形体１Ａには、上記のように定義した模様（表示パターン）が形成されている。本実施形態の成形体１Ａは、両面が平滑な平面を有する板状に構成されており、一方の平滑面が視認側となる表面１ａであり、他方の平滑面が模様となる凹溝３を刻設した裏面１ｂとなっている。
【００１３】
凹溝３は、模様として「Ｗ」の文字を表示しており、表面（平滑面）１ａに対する肉厚が変化するように形成されている。具体的に、本実施形態の凹溝３は、厚さ方向Ｔに対して傾斜する面（傾斜面或いはテーパ面と定義される）を含むように構成されており、文字を構成する溝が、異なる方向の２つの面（傾斜面）３ａ，３ｂによって形成されている。なお、傾斜面３ａ，３ｂは頂部３ｃで交差しており、この頂部３ｃは文字を構成する線の中心稜部となっている。
【００１４】
図に示す凹溝形状では、文字の中央部分の２つの凹溝の最も深い部分の深さＤ１は、両側の凹溝の最も深い部分の深さＤ２よりも浅く形成されており、「Ｗ」の文字としては、全体で同一深さの溝を形成した場合（全体が深さＤ１の溝、又は、全体が深さＤ２の溝で形成した場合）と比較すること、異なる立体状の外観を呈するようにしている。
【００１５】
前記凹溝３は、その傾斜面３ａ、傾斜面３ｂが形成されている部分については、表面（平滑面）１ａに対する肉厚が変化しており、この傾斜面による肉厚変化によって、成形体１Ａを表面側から視認した際、以下のように、立体的な外観を呈するようになる。
【００１６】
以下、図２を参照して、平滑面に対する肉厚を変化させる傾斜面を形成することによって、その肉厚変化している模様が立体的な外観を呈する理由について説明する。なお、図２では、模様を形成する凹溝３０を、頂部３１に向けて異なる傾斜角度となる２つの傾斜面３３，３５とした例（傾斜面３５の傾斜角度が大きい）を示しているが、各傾斜面は、図１で示したように、同じ傾斜角度であっても良い。
【００１７】
図において傾斜面３３に着目すると、肉厚が薄い部分（溝が深い領域）３３ａと、肉厚が厚い部分（溝が浅い領域）３３ｂでは、表面から入射した光が傾斜面３３で反射するに際して、光の吸収の度合いが異なる。すなわち、肉厚が薄い部分３３ａからの反射光は光の吸収の度合いが低く、肉厚が厚い部分３３ｂからの反射光は光の吸収の度合いが高いため、溝の深さ（肉厚変化）によって反射光の輝度が異なる。このため、肉厚が薄い部分３３ａ側の模様部分は、肉厚が厚い部分３３ｂ側よりも明るくなり、結果として模様に陰影が生じることとなり、そのような陰影による明暗（濃淡）によって、立体感のある模様を視認できるようになる。そして、上記のような肉厚変化は、単純な傾斜面で形成することができ、複雑な加工が不要となることから、立体感のある模様（凹溝）を容易に形成することが可能となる。
【００１８】
また、図２に示す構成では、１つの模様（凹溝）３０を２つの傾斜面３３，３５で形成していることから、図のＥ１側から視認すると、傾斜面３３からの反射光が見易く、傾斜面３５からの反射光が見にくくなる。すなわち、傾斜面３３側が明るく見え、傾斜面３５側が暗く見えるようになる。逆に、図のＥ２側から視認すると、傾斜面３５からの反射光が見易く、傾斜面３３からの反射光が見にくくなり、傾斜面３５側が明るく、傾斜面３３側が暗くなるように見える。このように、１つの模様を複数の傾斜面によって形成することで、見る方向によって（頂部３１を境にして）は、明暗が生じたり明暗が反転するようになり、上記した肉厚の相違による光の吸収と相俟って１つの模様内に陰影が生じ、そのような模様を視認すると立体的に見えるようになる。この場合、１つの模様を形成するに際して、その凹溝は、単一の傾斜面で形成しても良いし、３つ以上の傾斜面で形成しても良い。
【００１９】
また、表面１ａに入射する入射光Ｒは、表面で反射する反射光Ｒ１になると共に、成形体１Ａの内部に入り込む屈折光Ｒ２となる。この屈折光Ｒ２は、そのまま傾斜面３３に入射すると、その部分で反射して反射光Ｒ３になると共に、その部分を透過する透過光Ｒ４となる。上記したように、この反射光Ｒ３を視認することで模様の形状、色彩、明度（高輝度）を把握することとなるが、表面１ａ部分及び傾斜面３３部分での光の反射やその光路差の変化、更にはそれらの部分で生じる光の屈折等の影響によって、フロップ性（見る角度によって光輝感や色相が変化する性質）も得られるようになる。すなわち、模様を、肉厚が変化しない平坦面ではなく、肉厚変化する傾斜面３３，３５で形成することにより、表面１ａ部分での光の反射、屈折、及び、成形体１Ａの肉厚変化に基づく光路差等の影響によってフロップ性が得られるようになり、立体感のある模様を視認することが可能となる。
【００２０】
また、透明又は半透明の成形体１Ａは、そのものが色彩を備えたものであっても良く、そのような色彩を備えていることで、視認できる模様についても異なる外観を呈することが可能である。さらに、成形体１Ａに対して特定の波長帯域の光（ＬＥＤなどの光源からの光）を照射したり、或いは、成形体の外面（表面、裏面、側面など）から内部に光源によって光を導入しても、その模様を強調させて立体的に視認させることが可能となる。この場合、照射光（導入光）については、連続的に照射しても良いし点滅させても良い。また、模様となる凹溝３０については、その露出面部分（裏面）に塗装、蒸着、メッキ等によって薄膜を施しても良い。このような薄膜は、裏面１ｂ上に形成しても良く、このような薄膜を形成することで傾斜面部分での透過光Ｒ４がなくなって、全体として高輝感を増すことも可能となる。
【００２１】
前記成形体１Ａについては、その肉厚Ｔ１は限定されることはないが、１．０ｍｍ以上あれば、上記したような凹溝による立体的な模様を形成することが可能である。この場合、成形体１Ａをネームプレート等、単体で用いることが可能であるが、そのような使用法以外にも、後述するように、釣り用品に組み込むことが可能であるため、その肉厚Ｔについては、軽量で薄肉厚となるように、１．０ｍｍ〜３．０ｍｍの範囲で形成することが好ましく、表面の強度等を考慮すると、１．５ｍｍ以上あれば好ましい。
【００２２】
図３及び図４は、本発明に係る表示部材の第２の実施形態を示す図であり、図３は平面図、図４は図３に示す表示部材の凹溝の形状を示す図である。なお、図３は、図４をＥＣ方向から見たときに視認できる明暗状態を示している。
【００２３】
図３に示すように、模様（凹溝）３０は、表面から見て２つの平行四辺形模様３０Ａ，３０Ｂを直線（頂部）３１で突き合わせた形状となっており、各模様３０Ａ，３０Ｂは、図４に示すように、単一の傾斜面３３，３５によって形成されている。
【００２４】
このような模様を、頂部３１の上方となるＥＣ方向（図４参照）から見ると、上述したように、肉厚が薄い領域（溝が深い領域）３３ａ，３５ａは明度が明るい状態（淡色系）で視認でき、肉厚が厚い領域（溝が浅い領域）３３ｂ，３５ｂは明度が暗い状態（濃色系）で視認でき（図３参照）、このような濃淡差によって全体として立体的に見えるようになる。また、図４において、模様３０をＥ１方向から視認すると、上記のように明暗が生じた状態で模様３０Ａの方が模様３０Ｂと比較すると総じて明るく見えるようになり、Ｅ２方向から視認すると、上記のように明暗が生じた状態で模様３０Ｂの方が模様３０Ａと比較すると総じて明るく見えるようになる。
【００２５】
このように、成形体の肉厚を変化させて模様を形成することによって、その模様内に明暗部分を生じさせることができ、これにより模様を立体的に視認させることが可能となる。この場合、上記の凹溝による模様は、裏面を切削加工することで形成しても良いし、型によって一体形成しても良く、簡単な工程で立体模様を有する表示部材を製造することが可能となる。
【００２６】
図５は、表示部材の第３の実施形態を示す図である。
この実施形態の表示部材１は、合成樹脂製の成形体１Ａが略半球形状に形成されており、視認側となる平滑面である表面１ａ´は、曲面によって構成されている。また、裏面１ｂに刻設される模様となる凹溝４０は、例えば、一定の深さまで垂直となる一対の側壁４１を形成しておき、その側壁４１の奥に肉厚を変化させるように、１つの傾斜面４３を形成して構成されている。また、模様となる凹溝５０は、同様な一対の側壁５１を形成しておき、その側壁５１の奥に、両側壁から肉厚が変化するように、２つの傾斜面５３，５５を形成して構成されている。
【００２７】
このように、視認側となる表面１ａ´を湾曲面とすることで、位置によって反射や屈折の状態が変化するため、裏面１ｂに同じ形状の溝を形成した場合と比較しても異なるフロップ性を得ることが可能となる。すなわち、形成される模様に対応する凹溝部分に、様々な肉厚変化部を形成することで陰影が生じることから、様々な立体的に見える外観を形成することが可能となる。
【００２８】
表示する模様については、上述したように、文字、数字、記号、図形等が該当するが、その形態に応じて形成される凹溝は、成形体の肉厚が変化するようなものであれば良い。例えば、図６（ａ）に示すように、一対の垂直な一対の側壁６１，６３および水平な底壁６２で構成される通常の凹溝６０の場合、成形体１Ａの肉厚変化部分がないため、本発明のように立体的に見えないが、側壁６１，６３及び底壁６２の少なくともいずれかに、成形体の肉厚が変化する肉厚変化部が設けられていれば良い。例えば、図６（ｂ）に示す凹溝７０は、側壁６１及び底壁６２の部分に肉厚変化する傾斜面（テーパ面）７２を形成したものであり、側壁６３の部分は、そのまま側壁７３とした例を示している。また、図６（ｃ）に示す凹溝８０は、側壁６１及び底壁６２の部分に肉厚変化する湾曲面８２を形成したものであり、側壁６３の部分は、そのまま側壁８３とした例を示している。
【００２９】
このように、成形体の模様を構成する凹溝に、肉厚変化部が少なくとも１つ以上形成されていれば、肉厚変化する溝の表面形状は、傾斜する平坦面であっても良いし、湾曲面であっても良く、これらを組み合わせた形状であっても良い。
【００３０】
上記したように形成される表示部材１は、各種の釣り用品に組み込んで表示部として機能させることが可能である。例えば、図７（ａ）に示すスピニングリール１００では、上記したような模様（凹溝）３が形成されている表示部材１を、図７（ｂ）に示すように、リール本体１０１のリール脚１０１ａの裏面１０１ｂに組み込むことが可能である。このような構成では、表示部材１の裏面に接着剤を塗布しておき、裏面１０１ｂに接着することで、ロゴや型番等を立体的に表示させることが可能である。なお、表示部材１の裏面については、平坦面で構成しても良いし、湾曲面で構成しても良い。
【００３１】
図８（ａ）及び（ｂ）は、釣り用品として、両軸受型リール２００を示している。
表示部材１は、リール本体２０１の適所に組み込むことが可能であるが、例えば、リール本体２０１を構成するフロントカバー２０１ａの表面に接着することが可能である。
【００３２】
図９は、釣り用品として、電動リール３００を示している。
表示部材１は、リール本体３０１に装着される制御ケース３１０の表面に取着されている。この場合、制御部材３１０に表示部材１を嵌合する開口を形成しておき、この部分に表示部材１を組み込んで裏面側からＬＥＤ等によって光を照射するように構成することにより模様に異なる外観を生じさせることも可能である。
【００３３】
図１０（ａ）及び（ｂ）は、釣り用品として、釣竿４００を示している。
表示部材１は、釣竿４００の適所に組み込むことが可能であるが、例えば、グリップ４０１に取着される尻栓４０２の表面に接着することが可能である。
【００３４】
以上の例示のように、表示部材は、各種の釣り用品に組み込むことが可能であり、成形体１Ａは、上記したように肉厚を１．０ｍｍ〜３．０ｍｍの範囲で薄く形成することで、釣り用品の本体との間で大きな凹凸が生じないことから、ゴミ等が付着したり、釣糸が絡むようなことが抑制される。勿論、その表面については、釣り用品の本体と面一になるように組み込むことが好ましく、釣り用品によっては、予め表示部材が形成された部材が釣り用品の一部を構成していても良い。
【符号の説明】
【００３５】
１  表示部材
１Ａ  成形体
１ａ  表面（平滑面）
１ｂ  裏面
３，３０，４０，５０，６０，７０，８０  凹溝
１００  スピニングリール（釣り用品）
２００  両軸受型リール（釣り用品）
３００  電動リール（釣り用品）
４００  釣竿（釣り用品）
【図１】
2018134764.tif 000003
【図２】
2018134764.tif 000004
【図３】
2018134764.tif 000005
【図４】
2018134764.tif 000006
【図５】
2018134764.tif 000007
【図６】
2018134764.tif 000008
【図７】
2018134764.tif 000009
【図８】
2018134764.tif 000010
【図９】
2018134764.tif 000011
【図１０】
2018134764.tif 000012